(57)【要約】      （修正有）【課題】身元確認が容易な身元確認用人体識別番号ステッカーおよび身元確認システムを提供する。【解決手段】足の母趾５の爪１１に貼り付けられる身元確認用人体識別番号ステッカー１であって、両側の爪溝６，６間の爪幅より小さい横寸法と、爪上皮７から爪先８までの爪長の１／２以下の縦寸法とを有し、爪先側から見た下辺の両角部が面取りされている横長のフィルム本体からなり、フィルム本体の表面に爪先側から見て取れる人体識別番号３と問合せ先情報４が印刷されている。【選択図】図３
0003201157.tif 000002
【実用新案登録請求の範囲】
【請求項１】
足の母趾の爪に貼り付けられる身元確認用人体識別番号ステッカーであって、両側の爪溝間の爪幅より小さい横寸法と、爪上皮から爪先までの爪長の１／２以下の縦寸法とを有し、爪先側から見た下辺の両角部が面取りされている横長のフィルム本体からなり、前記フィルム本体の表面に爪先側から見て取れる人体識別番号と問合せ先情報が印刷されていることを特徴とする身元確認用人体識別番号ステッカー。  
【請求項２】
前記フィルム本体の爪先側から見た下辺が下に凸に湾曲していることを特徴とする請求項１に記載の身元確認用ステッカー。
【請求項３】
請求項１又は２に記載の身元確認用人体識別番号ステッカーが複数貼り付けられた第１部分と、
前記身元確認用人体識別番号ステッカーに印刷された人体識別番号と同じ人体識別番号が印刷され、前記身元確認用人体識別番号ステッカーより大きな複数の管理ステッカーが貼り付けられた第２部分と、
前記第１部分に貼り付けられた身元確認用人体識別番号ステッカーと同じ身元確認用人体識別番号ステッカー及び前記第２部分に貼り付けられた管理ステッカーと同じ管理ステッカーが貼り付けられ、前記第１部分及び前記第２部分から分離可能な第３部分とからなる身元確認シートと、
システム提供者情報が印刷又は記録され、前記身元確認シートに貼り付けられた管理ステッカーが貼り付けられる部分を有する身元確認カードとからなることを特徴とする身元確認システム。
【考案の詳細な説明】
【技術分野】
【０００１】
本考案は身元確認用人体識別番号ステッカーおよび身元確認システムに関する。
【背景技術】
【０００２】
認知症の老人が徘徊したり、幼児や言語障害者が行方不明になり、保護されても、本人は名前や住所を言えないため、身元確認が困難となる。また、海外や国内での事故や災害により意識不明になったり、死亡した人の場合、持ち物がないため、身元確認ができないことが多い。
【０００３】
従来このような身元の確認のために、特許文献１には、固有の識別情報が記録された電子タグを内蔵した入れ歯、特許文献２には、裏面側に身元情報を記入したボタン、特許文献３には、個人情報を記録した人体の一部に貼り付け可能な二次元コードシールが提案されている。また、特許文献４には、裏面に氏名および連絡先を書き込んだ光反射シートを衣服や履物等に貼り付けるようにした身元確認シールが提案され、特許文献５には、パスポート情報に基づきグローバルＩＤを印した指輪、衣類、シール等の身元証明グッズが提案されている。
【０００４】
しかし、特許文献１の入れ歯では、当然ながら入れ歯をしていない人には適用できないし、入れ歯が外れると身元確認が不可能である。特許文献２のボタン、引用文献４の光反
射シートは、すべての衣服や履物に取り付けたり、着替えや履き替えたりする毎に付け換える必要があるうえ、火災等の場合は衣服や履物ととともに焼失する虞がある。特許文献３の二次元コードシールは、確認時に読み取り装置がなければ読む取ることができない。特許文献５の身元証明グッズでは、グローバルＩＤがパスポート番号そのものであれば身元確認は可能であるが、個人情報を盗みとられる虞があり、グローバルＩＤがバーコードや二次元コードである場合にはその場に読取装置がなければ確認ができない等の問題がある。
【先行技術文献】
【特許文献】
【０００５】
【特許文献１】実用新案登録第３１３９６３５号
【特許文献２】実用新案登録第３１９４６９２号
【特許文献３】実用新案登録第３１９６４３７号
【特許文献４】特開２００２−８２６１９号
【特許文献５】特開２００６−２１５９７２号
【考案の概要】
【考案が解決しようとする課題】
【０００６】
本考案は、このような従来の問題に鑑みてなされたもので、身元確認が容易な身元確認用人体識別番号ステッカーおよび身元確認システムを提供することを課題とする。
【課題を解決するための手段】
【０００７】
前記課題を解決するために、本考案の身元確認用人体識別番号ステッカーは、足の母趾の爪に貼り付けられる身元確認用人体識別番号ステッカーであって、両側の爪溝間の爪幅より小さい横寸法と、爪上皮から爪先までの爪長の１／２以下の縦寸法とを有し、爪先側から見た下辺の両角部が面取りされている横長のフィルム本体からなり、前記フィルム本体の表面に爪先側から見て取れる人体識別番号と問合せ先情報が印刷されているものである。
【０００８】
前記フィルム本体の爪先側から見た下辺が下に凸に湾曲しているとが好ましい。
【０００９】
本考案の身元確認システムは、
前記身元確認用人体識別番号ステッカーが複数貼り付けられた第１部分と、
前記身元確認用人体識別番号ステッカーに印刷された人体識別番号と同じ人体識別番号が印刷され、前記身元確認用人体識別番号ステッカーより大きな複数の管理ステッカーが貼り付けられた第２部分と、
前記第１部分に貼り付けられた身元確認用人体識別番号ステッカーと同じ身元確認用人体識別番号ステッカー及び前記第２部分に貼り付けられた管理ステッカーと同じ管理ステッカーが貼り付けられ、前記第１部分及び前記第２部分から分離可能な第３部分とからなる身元確認シートと、
システム提供者情報が印刷又は記録され、前記身元確認シートに貼り付けられた管理ステッカーが貼り付けられる部分を有する身元確認カードとからなる。
【考案の効果】
【００１０】
本考案の身元確認用人体識別番号ステッカーは、事故や災害に遭った場合でも人体の中で比較的損傷しにくく残存しやすい部分とされている足の母趾の爪に貼り付けられているので、身元確認が可能である。また、足の爪は手の爪に比べて、汚れにくく、汗をかきにくい箇所であるので、身元確認用人体識別番号ステッカーが剥がれたり、印刷箇所が読みにくくなる虞がない。本考案の身元確認用人体識別番号ステッカーは、爪先側から見て取れる人体識別番号と問合せ先情報を印刷したので、問合せ先情報から問合せ先に人体識別番号を連絡することで、容易に身元を確認することができる。
【００１１】
本考案の身元確認用人体識別番号ステッカーは、爪長の１／２以下の縦寸法を有するので、爪の根本に貼っておけば、爪が伸びてステッカーが先端に達するまで長期間使用できる。また、本考案の身元確認用人体識別番号ステッカーは、爪先側から見た下辺の両角部を面取りしているので、ステッカーが爪先に達しても、爪を切っても両角部のステッカーの印刷情報が欠落することがない。
【００１２】
本考案の身元確認システムは、身元確認シートの第３部分を第１部分及び第３部分から切り離してシステム提供者が保管することで、管理者や被管理者の人体識別番号と照合可能であり、偽造等を防止することができる。同様に、身元確認シートの管理ステッカーを管理者の身近な場所に貼り付けるとともに、身元確認カードに貼り付けることで、被管理者の人体識別番号と照合可能であり、偽造等を防止することができる。
【図面の簡単な説明】
【００１３】
【図１】本考案の身元確認用人体識別番号ステッカーの実施例を示す平面図。
【図２】本考案の身元確認用人体識別番号ステッカーの他の実施例を示す平面図。
【図３】本考案の身元確認人体識別番号ステッカーを足の母趾に貼り付けた初期の状態（ａ）と爪が伸びた状態（ｂ）を示す平面図。
【図４】本考案の身元確認システムにおける身元確認シート（ａ）の平面図、身元確認カードの表面図（ｂ）及び裏面図（ｃ）。
【考案を実施するための形態】
【００１４】
次に、本考案の実施形態を添付図面に従って説明する。
【００１５】
図１は、本考案の身元確認用人体識別番号ステッカー（以下、単に「番号ステッカー」という。）１を示す。番号ステッカー１は、ポリエステルなどの合成樹脂製のフィルムシートからなる横長のフィルム本体２の裏面に接着層を設け、フィルム本体２の表面に人体識別番号３と問合せ先情報４を表示する印刷層と、該印刷層の上の耐摩耗性と耐水性を有する透明な樹脂製の保護膜層を設けたものである。
【００１６】
フィルム本体２は、図３に示す、足の母趾５の両側の爪溝６，６間の爪幅より小さい横寸法Ｗと、爪上皮７から爪先８までの爪長の１／２以下の縦寸法Ｈとを有する。ステッカー本体２の爪先側から見た下辺９の両角部はアール（曲線）の面取り１０，１０がなされている。面取り１０，１０は、直線でもよい。このステッカー本体２の面取り１０，１０は、番号ステッカー１が母趾５の爪１１に貼られて爪１１が伸びたときに、爪切によって番号ステッカー１の角が切られて表示内容が欠落するのを防止するものである。
【００１７】
ステッカー本体２の表面の印刷層の人体識別番号３と問合せ先情報４は、図３に示すように、番号ステッカー１が母趾５の爪１１に貼られたときに、爪先側から見て取れる向きに印刷されている。図３では、人体識別番号３が爪先側に位置しているが、問合せ先情報４が爪先側に位置していてもよい。
【００１８】
人体識別番号３は、身元確認システムの提供者が被管理者に対して付与する番号である。人体識別番号３は好ましくは国籍を示すローマ字（図示の例では「ＪＰ」）と、９桁の数字（図示の例では「８８５４６２２８８」）と、性別を示すローマ字（図示の例では男性の「Ｍ」）からなり、数字は被管理者への提供時に被管理者ごとに割り振られる乱数、または、連続番号である。
【００１９】
問合せ先情報４は、システム提供者への連絡が可能なドメイン（図示の例では
「cocoilu.jp」）である。この問合せ先情報４に記された問合せ先にアクセスし、警察のみが記載できる問い合わせフォームに必要事項記入して送信すると、受信したシステム提供者が送信者が警察であることを確認してから、当該警察のみに個人情報を提供できるようになっている。
【００２０】
図２は、本考案の番号ステッカー１の変形例を示す。この番号ステッカー１は、ステッカー本体２の爪先側から見た下辺９が下に凸に湾曲している。この湾曲は、爪先８に沿っていることが好ましい。人体識別番号３と問合せ先情報４は、ステッカー本体２の湾曲した下辺９に沿って印刷されている。このため、爪１１が伸びて切られても、人体識別番号３が欠落することがなく、番号ステッカー１を長期間貼ったまま使用できる。
【００２１】
本発明の番号ステッカー１は、図３（ａ）に示すように、爪先８から見たときに人体識別番号３と問合せ先情報４が読み取れるように、母趾５の爪１１の根本に貼り付ける。番号ステッカー１を貼り付ける前に、母趾５の爪１１の表面をサンドペーパなどで研磨しておくと、番号ステッカー１を剥がれないように確実に貼り付けることができる。  
【００２２】
爪１１が伸びて、図３（ｂ）に示すように、番号ステッカー１が爪先８側に移動すると、両側の角部が爪先８に接近するが、この両角部は面取り１０，１０が施されているので、爪切りによって一部が欠落し、人体識別番号３や問合せ先情報４が欠落することがない。図２に示すように、下辺９が湾曲し人体識別番号３が湾曲して印刷されているものでは、爪１１を切っても人体識別番号３の全体を欠落させずに長期間使用できる。爪１１がさらに伸びて、爪１１を切ったときに番号ステッカー１の人体識別番号３や問合せ先情報４が欠落するようになれば、爪１１の根本の開いたスペースに新しい番号ステッカー１を貼り付ける。番号ステッカー１の寸法が爪１１の長さの２分の１以下なので、先に貼った番号ステッカー１を爪１１とともに切り落とす頃には、次の番号ステッカー１を貼る領域を爪自身が有することになる。
【００２３】
識別番号ステッカー１は、汚れにくく汗をかきにくい母趾５の爪１１に貼られているので、剥がれたり、印刷箇所が読みにくくなる虞がない。また、番号ステッカー１は、事故や災害に遭っても人体の中で比較的損傷しにくく残存しやすい部分とされている足の母趾５の爪１１に貼り付けられているので、身元確認が確実に行える。
【００２４】
図４は、身元確認シート１２と身元確認カード１３からなる身元確認システムを示す。
【００２５】
図４（ａ）に示す身元確認シート１２は、既に説明した図１又は図２に示す番号ステッカー１を複数貼り付けた第１部分１２ａと、番号ステッカー１に印刷された人体識別番号３と同じ人体識別番号が印刷され、番号ステッカー１より大きな複数の管理ステッカー１４を貼り付けた第２部分１２ｂと、第１部分１２ａに貼り付けた番号ステッカー１と同じ番号ステッカー１及び第２部分１２ｂに貼り付けた管理ステッカー１４と同じ管理ステッカー１４を貼り付けた第３部分１２ｃとからなる。第３部分１２ｃは、第１部分１２ａ及び第２部分１２ｂから分離可能である。図の例では、中央の第１部分１２ａに４２個の番号ステッカー１が整列して貼り付けられ、下側の第２部分１２ｂに２個の管理ステッカー１４と、上側の第３部分１２ｃに６個の番号ステッカー１と２個の管理ステッカー１４が貼り付けられている。
【００２６】
図４（ｂ），（ｃ）に示す身元確認カード１３は、表面（図４（ｂ））にシステム提供者情報としてドメイン名１５（図の例では「ここいる．ｃоｍ」）が印刷されるとともに、二次元コード（ＱＲコード（登録商標））１６が記録されたものであり、裏面（図４（ｃ））には、表面と同じシステム提供者ドメイン名１５が印刷されるとともに、身元確認シート１２から剥がした管理ステッカー１４が貼り付けられる貼付面１７が設けられている。
【００２７】
前記身元確認システムによる身元確認の方法を説明する。
本考案の身元確認システムの利用を希望する者、例えば認知症の老人や知的障害者の家族、介護者、幼児の家族、または海外や国内の旅行者は、システム提供者のウェブサイトにて、システム提供者に身元確認システムの利用の申込みをする。
【００２８】
システム提供者は、本身元確認システムの購入を申し込むユーザ(管理者)に対し、被管理者の住所、氏名、性別、国籍を確認のうえ、被管理者毎に例えば９桁の番号を設定し、これに国籍と性別を示すアルファベットを付加した人体識別番号を付与する。９桁の番号は、乱数でもよいが連続番号のほうが管理が容易であるので好ましい。マイナンバーは現在のところ使用しない。
【００２９】
システム提供者は、人体識別番号３と問合せ先情報４が印刷された４２個の番号ステッカー１と、番号ステッカー１の人体識別番号３と同じ人体識別番号が印刷された２枚の管理ステッカー１４と、控用の６枚の番号ステッカー１と２枚の管理ステッカー１４を貼り付けた身元確認シート１２を作製するとともに、システム提供者情報としてドメイン名１５と二次元コード１６が印刷又は記録され、身元確認シート１２から剥がされた管理ステッカー１４が貼り付けられる貼付面１７を有する身元確認カード１３を作製する。システム提供者は、身元確認シート１２から控用の６枚の番号ステッカー１と２枚の管理ステッカー１４を貼り付けた第３部分１２ｃを図４（ａ）中点線に沿って第１部分１２ａ及び第２部分１２ｂから切り離し、この身元確認シート１２と身元確認カード１３をユーザに送付する。ユーザはこの身元確認シート１２と身元確認カード１３を受け取り、代金を支払う。切離した控用の６個の人体識別番号ステッカー１と２枚の管理ステッカー１４を貼り付けた身元確認シート１２の第３部分１２ｃはシステム提供者が、ユーザ(管理者)管理の為、使用保管する。このように、システム提供者、管理者がそれぞれ人体識別番号３を保管することで、被管理者の人体識別番号３と照合可能であり、偽造等を防止することができる。
【００３０】
ユーザは、身元確認シート１２の番号ステッカー１を老人等の被管理者の母趾５の爪１１に貼り付ける、貼り付け方法は既に述べたように、爪先８から人体識別番号３と問合せ先情報４が見えるように爪１１の根本に貼り付ける。身元確認シート１２の第１の管理ステッカー１４はユーザ自身の目の届くユーザの家や事務所内の適宜場所に貼り付ける。また、第２の管理シート１４は購入した者が  身元確認カード１３の所定の貼付面１７に貼り付け、被管理者に携行させるか、管理者が所持する。
【００３１】
被管理者の家族等の関係者は、行方不明になった徘徊老人、知的障害者などの被管理者の捜索願を警察に届出する際に、被管理者が足の母趾５の爪１１に番号ステッカー１を貼っていることを連絡し、番号ステッカー１に記された人体識別番号３を告知することができる。捜索が行われ、被管理者が発見されると、警察は告知された人体識別番号３と爪の番号ステッカー１に記された人体識別番号３を照合することにより、被管理者本人を確認することができる。このように、警察に捜索願を出すときに、着衣、身体の特徴などの情報よりも的確に被管理者を特定して告知することができる。
【００３２】
管理者から警察に捜索願が遅れたり、捜索願が出ていない場合、システム提供者が管理者となり、事故の被害者、徘徊老人等の、身元不明者の身体の確認を行った警察は、身元不明者の足の爪に貼ってある番号ステッカー１を発見し、番号ステッカー１に印された問合せ先情報４により、システム提供者に連絡をする。警察からの連絡を受けたシステム提供者は、警察の情報を確認したうえで警察に行方不明者の個人情報を提供する。
【００３３】
システム提供者は、警察からの情報提供依頼以外に被管理者の身元確認の為の個人情報を提供することはない。すなわち、警察以外の第三者が徘徊老人が所持している身元確認カード１３を発見し、該身元確認カード１３に記載のシステム提供者情報１５，１６に基づきシステム提供者に連絡があった場合、それが善意の第三者であっても、システム提供者は当該第三者に警察にまず連絡するように忠言するだけで、被管理者の身元確認のための個人情報を伝えることはない。このようなシステムにより、被管理者の個人情報が第三者に漏れることはない。
【００３４】
本考案のシステムは、被管理者が徘徊老人や知的障害者以外の場合でも利用できる。例えば、旅行者の場合、旅行者は出発前に家族や同行の友人、旅行会社に番号ステッカー１を貼っている旨を告知しておくことで、重大な事故、誘拐に遭遇した場合でも、身元を確認することができる。また、被管理者が幼児である場合、遊園地やプール、大型ショッピングセンター等の施設の迷子センターに対して、迷子になった幼児の家族が幼児に番号ステッカー１を貼っている旨を告知すれば、迷子センターは告知された人体識別番号から本人を特定し、家族に連絡することができる。万一、事件・事故が発生した場合、被管理者の家族の対応が遅れても、番号ステッカー１の問合せ先情報４に基づき警察から連絡があれば、システム提供者が身元情報を提供することができる。
【符号の説明】
【００３５】
１  人体識別番号ステッカー
２  フィルム本体
３  人体識別番号
４  問合せ先情報
５  母趾
６  爪溝
７  爪上皮
８  爪先
９  下辺
１０  面取り
１１  爪
１２  身元確認シート
１３  身元確認カード
１４  管理ステッカー
１５  システム提供者ドメイン名
１６  システム提供者二次元コード
１７  貼付面
【図１】
0003201157.tif 000003
【図２】
0003201157.tif 000004
【図３】
0003201157.tif 000005
【図４】
0003201157.tif 000006